(57)【要約】【課題】マンホール内外への出入りを容易に行うことができ、また、その設置作業も簡単に行うことができる昇降用ステップ兼梯子支持部材及びそれを用いたマンホール出入り用装置を提供する。【解決手段】マンホール出入り用装置１は、昇降用ステップ６に連続するように配設される補助梯子３と、該補助梯子３を支持する昇降用ステップ兼梯子支持部材２から構成される。昇降用ステップ兼梯子支持部材２は、内壁７の取付孔に嵌入される両側の取付部と、該取付部間に連結されるステップ部１２と、取付部とステップ部１２の連結部分に立設される梯子取付け支持部１３とから構成される。昇降用ステップ兼梯子支持部材２は、昇降用ステップ６の最上段ステップとして内壁７に取付けられると共に、梯子取付け支持部１３に補助梯子３の下端部２２ａ、２２ｂが嵌入されて、着脱可能に補助梯子３を支持する。【選択図】図１
2010275690.tif 000002
【特許請求の範囲】
【請求項１】
マンホール内壁に取付けられる昇降用ステップのうちの最上段の位置に取り付けられる昇降用ステップ兼梯子支持部材であって、
前記マンホール内壁に形成された取付孔に嵌入固定される両端の取付部と、
該取付部間に連結されるステップ部と、
前記取付部とステップ部の連結部にマンホールの出入口方向へ延びる梯子取付け支持部とを備えることを特徴とする昇降用ステップ兼梯子支持部材。
【請求項２】
前記梯子取付け支持部の上面には反射部材が設けられていることを特徴とする請求項１に記載の昇降用ステップ兼梯子支持部材。
【請求項３】
マンホール内壁に取付けられた昇降用ステップに連続して設けられるマンホール出入り用装置において、
前記昇降用ステップの最上段の昇降用ステップの位置のマンホール内壁に取り付けられる昇降用ステップ兼梯子支持部材と、
該昇降用ステップ兼梯子支持部材によって支持される補助梯子とから構成され、
前記昇降用ステップ兼梯子支持部材は、前記マンホール内壁に形成された取付孔に嵌入固定される両端の取付部と、該取付部間に連結されるステップ部と、前記取付部とステップ部の連結部にマンホールの出入口方向へ延びる梯子取付け支持部とから一体に形成され、
前記補助梯子は、前記昇降用ステップに続くように配置されたステップ部と、下端部が前記梯子取付け支持部に嵌合可能なパイプ状に形成された左右支柱部とからなり、
前記補助梯子は前記昇降用ステップ兼梯子支持部材に着脱可能に取り付けられることを特徴とするマンホール出入り用装置。
【請求項４】
前記補助梯子は、左右の両支柱が真っ直ぐ鉛直方向に延びる形状の梯子、階段状に屈折する形状の梯子、又は斜めに傾斜して延びる形状の梯子であることを特徴とする請求項３に記載のマンホール出入り用装置。
【請求項５】
前記昇降用ステップ兼梯子支持部材のステップ部と前記補助梯子の一番下段のステップとの間隔は、前記昇降用ステップ同士の間隔および前記補助梯子のステップ同士の間隔と略同じ間隔に形成されていることを特徴とする請求項３または４のいずれかに記載のマンホール出入り用装置。
【請求項６】
前記梯子取付け支持部の上面には反射部材が設けられていることを特徴とする請求項３から５のいずれかに記載のマンホール出入り用装置。
【発明の詳細な説明】
【技術分野】
【０００１】
本発明は、上下水道、電力給電線、電話回線等を地下に敷設したときに構築されるマンホール内に作業員が出入りするために使用される昇降用ステップ兼梯子支持部材及びそれを用いたマンホール出入り用装置に関するものである。
【背景技術】
【０００２】
通常、コンクリート製のマンホールの内壁面には、作業者が昇降するためのステップが鉛直方向にマンホールの底から出入り口付近まで所定の間隔をおいて複数取り付けられ、全体として梯子状のものが形成されている。このステップは、一般的に、概略コ字状を有しており、作業者が手足を掛ける中央部分と、これに続く両側部分とから構成されている。両側部分の先端部分には、例えば、ねじ構造からなる取付部が形成され、該取付部がマンホール壁部に形成された取付孔に嵌合されてステップはマンホールに取付け固定される。
しかし、上記ステップは、マンホール内にのみ設けられているため、マンホール内での昇り降りの足掛け部（踏桟）、及びつかまり部としては適しているが、マンホール口から外へ出る際、あるいはマンホール外からマンホール内に入る際の補助部材としては十分なものではなかった。
【０００３】
そこで、このような不具合を解消するために、マンホール口から外部へ配設される補助梯子に関して開発がなされている。そして、下記特許文献１には、受枠の内周面に立穴付突起部を設けて梯子の側杆用ガイドパイプを着脱可能とし、さらに梯子の両側杆の下部を折曲がり可能な構造とした補助梯子取付装置が開示されている。
【０００４】
また、下記特許文献２には、受枠の内周から内側に突き出た位置に一対の取付け孔を設け、これらの取付け孔に基端部を差し込んで立上げ姿勢に保持される地下構造物用蓋の補助梯子が開示され、受枠の内壁から突き出した２本のリブによって受枠に一体に成形され両端部に補助梯子の基端部が差し込まれる取付け孔を有して補助梯子を固定すると共に補助梯子に連なるステップとして利用できる連結座の構成と、補助梯子の基端部に設けられる脚の一方が自由に動いて他方の脚との間隔を変えることができ受枠の取付け孔の位置関係の誤差を吸収するようにした変位機構の構成が記載されている。
【０００５】
また、下記特許文献３には、開口縁枠の上部フランジの上面に当接する上帯板と、下部フランジの下面に近接する下帯板と、上帯板と下帯板の小径側縁部どうしを連結一体化する当接板とから成る支持基台を、固定手段によって上部、下部フランジに固定し、金属パイプ材からなる枠部材を有した手摺り枠を、支持基台の上帯板に設けた一対の差込筒内に枠部材の先端側を差し込んで立設させ、支持基台の下帯板の両端側から垂下板を設け該垂下板の下端部に支持バーを架設してなる梯子支持部にマンホール用梯子を着脱自在に保持するマンホール用梯子装置が開示されている。
【先行技術文献】
【特許文献】
【０００６】
【特許文献１】実公平０６−３０９０７号公報
【特許文献２】特許第３２８５２８６号公報
【特許文献３】特許第４０５７９５７号公報
【発明の概要】
【発明が解決しようとする課題】
【０００７】
しかしながら、上記特許文献１の補助梯子取付装置では、補助梯子を取り付ける突出部について、ガイドパイプが挿入される立穴付と記載されているだけであり、突出部が設けられる受枠内周面との関係については明確にされていなかった。
また、上記特許文献２の地下構造物用蓋の補助梯子では、補助梯子を固定すると共に補助梯子に連なるステップとして利用される連結座は、受枠の内壁から突き出した２本のリブによって受枠に一体に成形されたものであり、既設の地下構造物（マンホール）に対して後付で追加して取り付けることは容易ではなかった。
また、上記特許文献３のマンホール用梯子装置では、該装置を構成する部品の数が多く、また、その構成も複雑であり設置作業に時間を要すという欠点があった。
【０００８】
そこで、本願発明はこのような事情に鑑みてなされたものであり、マンホール内外への出入りを容易に行うことができ、また、その設置作業も簡単に行うことができる昇降用ステップ兼梯子支持部材及びそれを用いたマンホール出入り用装置の提供を目的とするものである。
【課題を解決するための手段】
【０００９】
上記課題を解決するために、請求項１に係るマンホール出入り用装置の発明は、マンホール内壁に取付けられる昇降用ステップのうちの最上段の位置に取り付けられる昇降用ステップ兼梯子支持部材であって、
前記マンホール内壁に形成された取付孔に嵌入固定される両端の取付部と、
該取付部間に連結されるステップ部と、
前記取付部とステップ部の連結部にマンホールの出入口方向へ延びる梯子取付け支持部とを備えることを特徴とする。
【００１０】
また、請求項２に係る昇降用ステップ兼梯子支持部材は請求項１に記載された発明において、前記梯子取付け支持部の上面には反射部材が設けられていることを特徴とするものである。
【００１１】
また、請求項３に係るマンホール出入り用装置の発明は、マンホール内壁に取付けられた昇降用ステップに連続して設けられるマンホール出入り用装置において、
前記昇降用ステップの最上段の昇降用ステップの位置のマンホール内壁に取り付けられる昇降用ステップ兼梯子支持部材と、
該昇降用ステップ兼梯子支持部材によって支持される補助梯子とから構成され、
前記昇降用ステップ兼梯子支持部材は、前記マンホール内壁に形成された取付孔に嵌入固定される両端の取付部と、該取付部間に連結されるステップ部と、前記取付部とステップ部の連結部にマンホールの出入口方向へ延びる梯子取付け支持部とから一体に形成され、
前記補助梯子は、前記昇降用ステップに続くように配置されたステップ部と、下端部が前記梯子取付け支持部に嵌合可能なパイプ状に形成された左右支柱部とからなり、
前記補助梯子は前記昇降用ステップ兼梯子支持部材に着脱可能に取り付けられることを特徴とする。
【００１２】
本願に係る昇降用ステップ兼梯子支持部材及びそれを用いたマンホール出入り用装置は、マンホールへの作業者の出入りを容易にするためのものである。このうちマンホール出入り用装置は、マンホールの内壁に取付けられている昇降用ステップに連続するように設けられ、マンホールの口から外部へ配設される補助梯子と、該補助梯子を支持するための昇降用ステップ兼梯子支持部材とから構成されている。昇降用ステップ兼梯子支持部材は、補助梯子を支持する機能を有する他、昇降用ステップの最上段ステップとしての機能をも有する。したがって、昇降用ステップ兼梯子支持部材は、マンホールの内壁へ取付けられている他の昇降用ステップと同様に内壁に取付けられると共に、他の昇降用ステップ同士間の上下間隔と同じ間隔をもって最上段ステップとしての位置に取付けられる。昇降用ステップ兼梯子支持部材は、マンホール内壁へ向かって延び該内壁に形成された取付孔に嵌入される両側端の取付部と、該両取付部間を連結し作業者の手足を掛ける部分として機能するステップ部とからなる概略コ字状部分を有しており、この部分は他の昇降用ステップの形状と同様である。そして、昇降用ステップ兼梯子支持部材は、さらに取付部とステップ部との両連結部に、マンホールの出入り口方向へ鉛直に延びる梯子取付け支持部が、取付部及びステップ部と一体に形成されている。梯子取付け支持部は、取付部とステップ部との連結部、すなわちステップ部の両端部に形成されているので、その間隔は内壁に嵌入固定される両取付部間の間隔と同一となる。昇降用ステップ兼梯子支持部材は、マンホール新設時に昇降用ステップの最上段ステップの取付け位置に昇降用ステップの一つとして取付けることができる他、既設のマンホールの昇降用ステップの最上段ステップの替わりに取付け直してもよい。
【００１３】
梯子取付け支持部は円柱形状を有し、補助梯子が配置されるマンホール口方向へ延びるように立設されている。これに対して、該梯子取付け支持部に取付けられる補助梯子は、その左右の支柱下端部が梯子取付け支持部が嵌入可能なように該支持部の形状に対応したパイプ形状を有している。上記のように梯子取付け支持部は円柱形状に形成されているため上記支柱下端部の形状も円形のパイプ形状に形成される。ただし、梯子取付け支持部の形状は円柱形状に限定されるものではなく、例えば、角柱形状を有するものであってもよい。したがって、その場合には上記支柱下端部の形状も角型のパイプ形状に形成すればよい。このように、単純な円柱、角柱形状の梯子取付け支持部に、これに対応した形状のパイプを嵌入させるのみであるため、補助梯子の着脱作業がきわめて容易である。
【００１４】
昇降用ステップ兼梯子支持部材は、マンホールの出入り口近傍に取付けられているものの、マンホール内は通常、外部に比べて暗い状態であるため、例えば、夕方、夜間等の外部が暗い状態では梯子支持部材の配設されている場所を容易に確認できず補助梯子の取付作業に時間を要することもある。そこで、補助梯子を嵌入させる梯子取付け支持部の上面等のマンホール外部から見易い位置に反射部材を取付けることにより、外部から照らすライトの光に該反射部材が反射して、梯子支持部材の位置を容易に特定することができるので、補助梯子の取付作業を容易に行うことが可能となる。
【００１５】
また、請求項４に係るマンホール出入り用装置は請求項３に記載された発明において、前記補助梯子は、左右の両支柱が真っ直ぐ鉛直方向に延びる形状の梯子、階段状に屈折する形状の梯子、又は斜めに傾斜して延びる形状の梯子であることを特徴とするものである。
【００１６】
また、請求項５に係るマンホール出入り用装置は請求項３または４に記載された発明において、前記昇降用ステップ兼梯子支持部材のステップ部と前記補助梯子の一番下段のステップとの間隔は、前記昇降用ステップ同士の間隔および前記補助梯子のステップ同士の間隔と略同じ間隔に形成されていることを特徴とするものである。
作業者が昇降に使用する、マンホール内から補助梯子に架けて続く一連のステップ間隔を略同間隔に形成することにより、マンホールの出入りをさらに容易にすることができる。
【００１７】
また、請求項６に係るマンホール出入り用装置は請求項３から５のいずれかに記載された発明において、前記梯子取付け支持部の上面には反射部材が設けられていることを特徴とするものである。上記請求項２の発明と同様に、補助梯子の取付作業を容易に行うことが可能となる。
【発明の効果】
【００１８】
本発明の昇降用ステップ兼梯子支持部材及びそれを用いたマンホール出入り用装置によれば、作業者のマンホール内外への出入り動作を容易にすることができ、また、出入りの際に使用する補助梯子の取り付け作業も容易にすることができる。さらに、マンホールの内壁に取り付ける昇降用ステップのうち最上段の昇降用ステップのみに本発明に係る昇降用ステップ兼梯子支持部材を使用すればよいので、新規に設置するマンホールだけでなく、マンホール出入り装置を備えていない既設のマンホールにも容易かつ安価に本装置を設置することができる。
【図面の簡単な説明】
【００１９】
【図１】本発明に係るマンホール出入り用装置の一形態を示す断面図である。
【図２】図１に示すマンホール出入り用装置の側面断面図である。
【図３】図２において補助梯子を取り外した状態を示す図である。
【図４】昇降用ステップ兼梯子支持部材の一形態を示す図であり、（ａ）は上面図、（ｂ）は正面図、（ｃ）は側面図である。
【図５】マンホールの内壁に取付けられた昇降用ステップ兼梯子支持部材の一形態を示す斜視図である。
【図６】（ａ）（ｂ）は、図１、２に示す補助梯子と別の形態の梯子を示す図である。
【発明を実施するための形態】
【００２０】
以下、本発明に係る昇降用ステップ兼梯子支持部材及びそれを用いたマンホール出入り用装置の実施形態を添付図面に基づいて説明する。
図１、２に示すように、マンホール出入り用装置１は、昇降用ステップ兼梯子支持部材２と該部材２に取り付けられる補助梯子３とから構成されている。マンホール出入り用装置１は、作業者がマンホール５内へ入る際、およびマンホール５から外へ出る際に使用する装置であり、作業者の出入りを補助するための装置である。マンホール出入り用装置１は、マンホール５の内壁７に設けられている昇降用ステップ６ａ、６ｂに連続するように、マンホール５の出入り口から外部に配設される。
【００２１】
昇降用ステップ兼梯子支持部材２は、補助梯子３を支持するための部材であると共に、昇降用ステップとしての機能も有しており、マンホール５の出入り口近傍の内壁７で、最上段に設けられる昇降用ステップの位置、すなわち昇降用ステップ６ａの上方で昇降用ステップ６ａと６ｂ間の間隔Ｈ1と同じ間隔Ｈ1だけ離れた位置に取付けられる。また、その幅Ｗ1も昇降用ステップ６ａ、６ｂの幅Ｗ1と同じ幅を有して形成されている。そして、その材質は鉄材に硬質樹脂を被覆してなる。
【００２２】
昇降用ステップ兼梯子支持部材２は、図３から５に示されるように、マンホール内壁７方向へ延びる両側の取付部１１、１１と、該取付部１１、１１間に連結されるステップ部１２と、取付部１１とステップ部１２の連結部分（ステップ部１２の両端部あるいは取付部１１の一端部ともいう）に形成される梯子取付け支持部１３、１３とから概略構成されている。
【００２３】
取付部１１は、その一端部が内壁７に形成されたステップ取付孔１４に嵌入されると共に内壁７に固定され、ステップ部１２は、作業者が昇降時に手足を掛ける部材として機能する。取付部１１とステップ部１２とは概略コ字形状を形成しており、これらの部分に関してはマンホール５の内壁７に取り付けられる昇降用ステップ６ａ、６ｂの形状および構成と同様である。このため作業者は、昇降用ステップ兼梯子支持部材２の下方に連続する昇降用ステップ６ａ、６ｂ等を昇降するのと同じ感覚で昇降することができ作業の安全性を高めることができる。
【００２４】
梯子取付け支持部１３は、取付部１１とステップ部１２の連結部分から鉛直にマンホール５の出入り口方向へ延びるように立設されており、両梯子取付け支持部１３の間隔Ｗ2は内壁７に嵌入固定される両取付部１１の間隔Ｗ3と同一に設けられている。梯子取付け支持部１３は連結部分、すなわち取付部１１及びステップ部１２と一体に形成されているため、両梯子取付け支持部１３の間隔は常に一定に維持される。したがって、該梯子取付け支持部１３に嵌入させる補助梯子３の着脱作業が容易である。梯子取付け支持部１３は、例えば、図５に示すような円柱形状を有しており、補助梯子３の下端部が嵌合され取り付けられるその材質を鉄とする部材である。なお、梯子取付け支持部１３の形態は、円柱形状に限定されるものではなく、この他、四角形、五角形等の多角柱形状であってもよいが、補助梯子３の着脱作業の効率上、できる限り単純な形状であることが望ましい。
【００２５】
昇降用ステップ兼梯子支持部材２を構成する取付部１１、ステップ部１２および梯子取付け支持部１３は、鉄材によって一体に形成されており、その外周には硬質樹脂が被覆されている。昇降用ステップ兼梯子支持部材２は、マンホール新設時に昇降用ステップの一つとして最上段ステップの位置に取付けることができる他、既設のマンホールの昇降用ステップの最上段ステップの替わりに取付け直してもよい。
【００２６】
また、梯子取付け支持部１３の上面には、例えば、反射塗料を塗ることにより、あるいは反射シールを貼り付けることにより反射部材１５が設けられている。これにより、暗いマンホール内であっても、あるいは、夕方、夜間等の外部が暗い状態であっても照らすライトの光に反射して梯子取付け支持部１３の位置を簡単に確認することができ、補助梯子３の取付作業を容易に行うことができる。
【００２７】
取付部１１の端部には、図４（ａ）に示されるように、周方向に複数の凹溝３１が形成され、該端部を覆って有底円筒状のスリーブ３２が取り付けられている。スリーブ３２は、一方の端部３３（先端側）が底によって閉塞されており、周壁には複数の開口３４が形成されている。このスリーブ３２を含む端部が内壁７に形成されたステップ取付孔１４に嵌入され接着剤により固定される。また、取付部１１には、その外周にカバーリング３５が装着されている。カバーリング１５は、例えば、硬質プラスチック等の剛性部材からなり、ドーナッツ形状を有し、その中央部には取付部１１が嵌入される貫通孔が形成されており、昇降用ステップ兼梯子支持部材２が取付けられた際に、ステップ取付孔１４に嵌入され該孔１４をふさぐ機能を有している。
【００２８】
補助梯子３は、左右に延びる一対の支柱２０ａ、２０ｂと、該支柱間に略等間隔に取付けられた複数のステップ部２１（２１ａ〜２１ｄ）から構成されている。補助梯子３の両支柱２０ａと２０ｂの間隔Ｗ4は、昇降用ステップ兼梯子支持部材２の両梯子取付け支持部１３の間隔Ｗ2と略等しく設定されている。また、補助梯子３のステップ部間（ステップ部２１ａ−２１ｂ、２１ｂ−２１ｃ、２１ｃ−２１ｄ）の間隔Ｈ3は、マンホール５内の昇降用ステップ間（６ａ−６ｂ）の間隔Ｈ1と略等しく設定されている。
【００２９】
両支柱２０ａ、２０ｂの下端部２２ａ、２２ｂは、昇降用ステップ兼梯子支持部材２の梯子取付け支持部１３が嵌入可能なパイプ形状に形成されている。上記のように梯子取付け支持部１３の形状は、円柱、多角柱形状であるため、このパイプの孔の形状も梯子取付け支持部１３の形状に対応して円柱、多角柱形状に形成されている。このように、単純な円柱、角柱形状の梯子取付け支持部１３に、これに対応した形状のパイプを嵌入させるのみで補助梯子３を取り付けることができ、さらに上述したように補助梯子３の両支柱の間隔Ｗ4は、昇降用ステップ兼梯子支持部材２の両梯子取付け支持部の間隔Ｗ2と略等しく設定されているので、その着脱作業がきわめて容易である。
【００３０】
補助梯子３は、ステップ部２１がマンホール５内の昇降用ステップ６に続くように配置されるものであるが、その補助梯子３の形態としては、図１、２に示すような、左右の両支柱２０ａ、２０ｂが真っ直ぐ鉛直方向に延びる形状のものの他、例えば、図６（ａ）、（ｂ）に示されるように、左右の両支柱が階段状に屈折された形状のもの、斜めに傾斜して延びる形状のもの等であってもよい。
【００３１】
等間隔に取付けられている補助梯子３のステップ部２１（２１ａ〜２１ｄ）のうち最下段のステップ部２１ａは、補助梯子３が昇降用ステップ兼梯子支持部材２に取り付けられたときの昇降用ステップ兼梯子支持部材２のステップ部１２と補助梯子３のステップ部２１ａとの間隔Ｈ2が、昇降用ステップ６ａと６ｂとの間隔Ｈ1と略等しくなる位置に設けられている。上記のように間隔Ｈ1と間隔Ｈ3とは略等しく形成されているので、昇降用ステップ６に連続する全てのステップ間隔は略等しく、作業者の昇降を容易にし、安全性を確保することができる。
【００３２】
次に、昇降用ステップ兼梯子支持部材２をマンホール５の内壁７に取り付ける方法（手順）について以下に説明する。
先ず、マンホール５の内壁７に形成された最上段ステップ用のステップ取付孔１４にスリーブ３２を嵌入する。上述したように、ステップ取付孔１４は、昇降用ステップ兼梯子支持部材２のステップ部１２が昇降用ステップ６と連続するようにステップ間隔Ｈ1をもって形成されている。スリーブ３２の外周面には周方向に抜け防止のための爪部４１、４２が突設されているため、嵌入されたスリーブ３２はステップ取付孔１４内に確実に固定される。
【００３３】
次に、昇降用ステップ兼梯子支持部材２の取付部１１の端部をステップ取付孔１４（該取付孔１４に嵌入したスリーブ３２）内に嵌入する。なお、このときカバーリング３５は予め取付部１１に装着し遊嵌させておく。取付部１１を嵌入する際には、エポキシ樹脂等からなる接着用樹脂を含有させた袋状のスポンジ等（図示は省略する）を取付部１１に装着させてステップ取付孔１４に嵌入する。このとき取付部１１に形成されている凹溝３１により該スポンジの抜けを防止すると共に、接着効率を高めることができる。スリーブ３２の周壁の開口３４からスリーブ外部にはみ出した接着剤は、ステップ取付孔１４の内壁面に到達し、昇降用ステップ兼梯子支持部材２の取付部１１は確実に取付孔１４に接着され、昇降用ステップ兼梯子支持部材２は内壁７に固定される。
【００３４】
カバーリング３５は、接着剤が固化した後に取付部１１に沿って押し込むことにより、その一部分がステップ取付孔１４内に嵌入される。これによりステップ取付孔１４のマンホール内壁面側開口部分はカバーリング３５によって塞がれる。また、カバーリング３５の一部分がステップ取付孔１４内に嵌入された状態で開口部分を塞ぐので、マンホールの内壁面７の形状（傾斜を有する壁）に影響されることなく、隙間なく開口部分を塞ぐことができる。また、カバーリング３５は剛性部材からなるため、カバーリング３５自体によって昇降用ステップ兼梯子支持部材２の緩み及びガタツキを抑え取付強度を増加させることもできる。
【符号の説明】
【００３５】
１    マンホール出入り用装置
２    昇降用ステップ兼梯子支持部材
３    補助梯子
５    マンホール
６（６ａ、６ｂ）  昇降用ステップ
７    内壁
１０  壁嵌入支持部
１１  取付部
１２  ステップ部
１３  梯子取付け支持部
１４  ステップ取付孔
１５  反射部材
２０ａ、２０ｂ  支柱
２１（２１ａ〜２１ｄ）  ステップ部
２２ａ、２２ｂ  下端部
３１  凹溝
３２  スリーブ
３５  カバーリング
【図１】
2010275690.tif 000003
【図２】
2010275690.tif 000004
【図３】
2010275690.tif 000005
【図４】
2010275690.tif 000006
【図５】
2010275690.tif 000007
【図６】
2010275690.tif 000008